【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】  電子化された文書画像を、レイアウト属性毎に部分領域に分割し、該分割の状態を示すレイアウト解析情報を出力する解析手段と、
前記レイアウト解析情報に基づいて、各部分領域内の文書画像を部分文書画像データとして抽出し、抽出された部分文書画像データを用いて部分領域を単位とした文書オブジェクトを作成する作成手段と、
前記作成手段で作成された複数の文書オブジェクトを複数の記憶手段に割り振って保管する保管処理手段と、
前記複数の記憶手段に記憶された文書オブジェクトを用いて元の文書画像を再構築する再構築手段と
を備えることを特徴とする文書管理装置。
【請求項２】  前記レイアウト属性は、少なくとも、図、テキストまたは表を属性として含む
ことを特徴とする請求項１に記載の文書管理装置。
【請求項３】  前記作成手段において作成される文書オブジェクトは、対応する部分領域の部分文書画像データ、当該文書オブジェクトの識別番号を含むオブジェクト情報および前記レイアウト解析情報を含む
ことを特徴とする請求項１または２に記載の文書管理装置。
【請求項４】  前記保管処理手段は、前記作成手段で作成された複数の文書オブジェクトの各々を、元の文書画像におけるレイアウト上の位置関係に応じて前記複数の記憶手段に割り振る
ことを特徴とする請求項１乃至３のいずれか１項に記載の文書管理装置。
【請求項５】  前記保管処理手段は、前記作成手段で作成された複数の文書オブジェクトの各々と保管先の記憶手段との関連を示すリンク情報を各文書オブジェクトと共に保管する
ことを特徴とする請求項１乃至４のいずれか１項に記載の文書管理装置。
【請求項６】  前記再構築手段は、前記各文書オブジェクトを前記リンク情報に基づき前記複数の記憶手段から取り出し、各文書オブジェクトの部分画像をレイアウト解析情報に基づき合成し、元の文書画像を再構築する
ことを特徴とする請求項５に記載の文書管理装置。
【請求項７】  前記保管処理手段は、さらに、特定のレイアウト属性の文書オブジェクトに対し、その文書オブジェクトを複製するとともに、複製された文書オブジェクトを当該文書オブジェクトとは異なる記憶手段に割り振って保管処理する
ことを特徴とする請求項１乃至６のいずれか１項に記載の文書管理装置。
【請求項８】  前記再構築手段は、前記特定のレイアウト属性の文書オブジェクトに関して、再構築に必要な文書オブジェクトが正常な場合はその文書オブジェクトを用いて元の文書画像を再構築し、再構築に必要な文書オブジェクトが正常でない場合は、前記複製された文書オブジェクトを用いて元の文書画像を再構築する
ことを特徴とする請求項７に記載の文書管理装置。
【請求項９】  前記文書管理装置は、選択された文書オブジェクトを重要なオブジェクトとして設定する設定手段をさらに備え、
前記保管処理手段は、さらに、前記設定手段で重要な文書オブジェクトに設定された文書オブジェクトを複製するとともに、複製された文書オブジェクトを当該文書オブジェクトとは異なる記憶手段に割り振って保管処理する
ことを特徴とする請求項１に記載の文書管理装置。
【請求項１０】  前記設定手段は、
重要な文書オブジェクトか否かを判定するための判定条件を設定する判定条件設定手段と、
前記レイアウト解析情報に基づいて、文書オブジェクトが前記判定条件を満足するか否かを判定する判定手段とを備え、
前記判定条件を満足すると判定された文書オブジェクトを重要な文書オブジェクトに設定する
ことを特徴とする請求項９に記載の文書管理装置。
【請求項１１】  前記再構築手段は、前記重要な文書オブジェクトに関して、前記再構築に必要な文書オブジェクトが正常な場合は、その文書オブジェクトを用いて元の文書画像を再構築し、前記再構築に必要な文書オブジェクトが正常でない場合は、前記複製された文書オブジェクトを用いて元の文書画像を再構築することを特徴とする請求項９記載の文書管理装置。
【請求項１２】  前記レイアウト解析情報に基づいて文字認識対象領域とされた領域に対して文字認識を行い、文字認識データを取得する文字認識手段を更に備え、
前記作成手段は、前記部分文書画像データが文字認識対象領域である場合は、その文字認識データを前記部分文書画像データとともに文書オブジェクトに含ませ、
前記保管処理手段は、文字認識データを含む文書オブジェクトの場合に、その文書オブジェクトが含む文字認識データを用いて第２の文書オブジェクトを生成し、これを、元の文書オブジェクトとは異なる記憶手段に割り振って保管する
ことを特徴とする請求項１に記載の文書管理装置。
【請求項１３】  前記保管処理手段は、前記文書オブジェクトが前記文字認識対象領域に対応する文書オブジェクトである場合は、その文書オブジェクトから前記部分画像データを除いて複製することにより前記第２の文書オブジェクトを生成し、前記第２の文書オブジェクトを元の文書オブジェクトとは異なる記憶手段に割り振って保管する
ことを特徴とする請求項１２に記載の文書管理装置。
【請求項１４】  前記再構築手段は、文字認識対象領域の文書オブジェクトに関して、再構築に必要な文書オブジェクトが正常な場合はその文書オブジェクトを用いて元の文書画像を再構築し、再構築に必要な文書オブジェクトが正常でない場合は、前記第２の文書オブジェクトを用いて元の文書画像を再構築する
ことを特徴とする請求項１２記載の文書管理装置。
【請求項１５】  キーワードを設定する設定手段をさらに備え、
前記保管処理手段は、さらに、前記文字認識データが前記キーワードを含む文書オブジェクトを複製すると共に原文書オブジェクトとは異なる記憶手段に割り振って保管処理する
ことを特徴とする請求項１２乃至１４のいずれか１項に記載の文書管理装置。
【請求項１６】  前記再構築手段は、再構築に必要な文書オブジェクトが正常な場合は、その文書オブジェクトを用いて元の文書画像を再構築し、再構築に必要な文書オブジェクトが正常でない場合は、前記複製された文書オブジェクトを用いて元の文書画像を再構築する
ことを特徴とする請求項１４に記載の文書管理装置。
【請求項１７】  前記再構築手段において、再構築に必要な文書オブジェクトが獲得できない場合には、当該文書オブジェクトの部分領域にダミー画像を充当する
ことを特徴とする請求項１乃至１６のいずれか１項に記載の文書管理装置。
【請求項１８】  電子化された文書画像を、レイアウト属性毎に部分領域に分割し、該分割の状態を示すレイアウト解析情報を出力する解析工程と、
前記レイアウト解析情報に基づいて、各部分領域内の文書画像を部分文書画像データとして抽出し、抽出された部分文書画像データを用いて部分領域を単位とした文書オブジェクトを作成する作成工程と、
前記作成工程で作成された複数の文書オブジェクトを複数の記憶手段に割り振って保管する保管処理工程と、
前記複数の記憶手段に記憶された文書オブジェクトを用いて元の文書画像を再構築する再構築工程と
を備えることを特徴とする文書管理方法。
【請求項１９】  コンピュータを、
電子化された文書画像を、レイアウト属性毎に部分領域に分割し、該分割の状態を示すレイアウト解析情報を出力する解析手段と、
前記レイアウト解析情報に基づいて、各部分領域内の文書画像を部分文書画像データとして抽出し、抽出された部分文書画像データを用いて部分領域を単位とした文書オブジェクトを作成する作成手段と、
前記作成手段で作成された複数の文書オブジェクトを複数の記憶手段に割り振って保管する保管処理手段と、
前記複数の記憶手段に記憶された文書オブジェクトを用いて元の文書画像を再構築する再構築手段ととして機能させるためのプログラムを格納したコンピュータ読み取り可能な記憶媒体。
【手続補正２】
【補正対象書類名】明細書
【補正対象項目名】０００８
【補正方法】変更
【補正の内容】
【０００８】
【課題を解決するための手段】
上記の目的を達成するための本発明による文書管理装置は以下の構成を備える。すなわち、
電子化された文書画像を、レイアウト属性毎に部分領域に分割し、該分割の状態を示すレイアウト解析情報を出力する解析手段と、
前記レイアウト解析情報に基づいて、各部分領域内の文書画像を部分文書画像データとして抽出し、抽出された部分文書画像データを用いて部分領域を単位とした文書オブジェクトを作成する作成手段と、
前記作成手段で作成された複数の文書オブジェクトを複数の記憶手段に割り振って保管する保管処理手段と、
前記複数の記憶手段に記憶された文書オブジェクトを用いて元の文書画像を再構築する再構築手段とを備える。
【手続補正３】
【補正対象書類名】明細書
【補正対象項目名】０００９
【補正方法】変更
【補正の内容】
【０００９】
また、上記の目的を達成するための本発明による文書管理方法は以下の工程を備える。すなわち、
電子化された文書画像を、レイアウト属性毎に部分領域に分割し、該分割の状態を示すレイアウト解析情報を出力する解析工程と、
前記レイアウト解析情報に基づいて、各部分領域内の文書画像を部分文書画像データとして抽出し、抽出された部分文書画像データを用いて部分領域を単位とした文書オブジェクトを作成する作成工程と、
前記作成工程で作成された複数の文書オブジェクトを複数の記憶手段に割り振って保管する保管処理工程と、
前記複数の記憶手段に記憶された文書オブジェクトを用いて元の文書画像を再構築する再構築工程とを備える。